(57)【要約】【課題】ボルトと螺合可能なナットが板材に取り付けられているナット付き板材、このナット付き板材を備える家具、及びナット付き板材を備える椅子において、ナットが板材から抜けることなく、外観上の美観を損なわないようにする。【解決手段】椅子の座部３が裏面板１２０、六つのＴナット１８０、及び表面板１１０を備える。裏面板１２０には、そのＴナット挿入面１２０ｂから内部に向けて貫通しないようにフランジ挿入穴１３０が形成され、その底部１５０の略中央部には、Ｔナット本体１８０ａが挿通される貫通孔１４０が形成されている。Ｔナット挿入面１２０ｂ側における貫通孔１４０にＴナット本体１８０ａを挿入させ、その爪部１８０ｄを底部１５０に差し込ませる。そして、裏面板１２０のＴナット挿入面１２０ｂに表面板１１０の貼付面１１０ａを、接着剤を介して重ね合わせるように貼り合わせる。【選択図】図２
0003128194.tif 000002
【実用新案登録請求の範囲】
【請求項１】
その一面から内部に向けて形成され、且つ他方の面へは貫通しないよう形成された挿入穴を有する板材と、
前記板材の前記挿入穴にその少なくとも一部が挿入されるとともに、その内周側に前記板材の外部から雄ネジ部材を螺合可能な雌ネジ部が形成された筒状のナットと、
を備えたナット付き板材であって、
前記ナットは、その外周側に配設される第一の被係止部を有し、
前記板材は、前記板材の前記挿入穴から、前記雌ネジ部に螺合される前記雄ネジ部材の方向へ前記ナットを移動させないよう前記ナットの前記第一の被係止部を係止する第一の係止部を有することを特徴とするナット付き板材。
【請求項２】
請求項１に記載のナット付き板材において、
前記ナットは、その外周側に配設される第二の被係止部を有し、
前記板材は、前記板材に対して前記ナットを回転させないよう前記ナットの前記第二の被係止部を係止する第二の係止部を有することを特徴とするナット付き板材。
【請求項３】
請求項１または請求項２に記載のナット付き板材において、
前記板材は、複数の薄板材を重ね合わせた構成を有し、
前記複数の薄板材のうちの少なくとも一つの薄板材には前記挿入穴が形成されており、
前記挿入穴が形成された一つまたは複数の薄板材のうち少なくとも一つの薄板材が前記第一の係止部を有することを特徴とするナット付き板材。
【請求項４】
請求項３に記載のナット付き板材において、
前記複数の薄板材のうち前記板材の外部に最も近い位置にある薄板材には、前記挿入穴が形成され、
前記挿入穴が形成された前記薄板材が前記第一の係止部を有することを特徴とするナット付き板材。
【請求項５】
請求項１〜請求項４のいずれかに記載のナット付き板材において、
前記ナットの前記第一の被係止部は、前記ナットの一方の端部から前記ナットの軸心に直交する方向へ延出するフランジ部を有し、
前記ナットの前記第二の被係止部は、前記フランジ部から前記板材へ向けて延出する爪部を有することを特徴とするナット付き板材。
【請求項６】
請求項５に記載のナット付き板材において、
前記第二の被係止部の前記爪部の長さ寸法は、前記板材における前記爪部が差し込まれる部分の板厚の寸法より小さいことを特徴とするナット付き板材。
【請求項７】
請求項５または請求項６に記載のナット付き板材において、
前記板材における前記爪部が差し込まれる部分は、複数の単板を互いに重ね合わせるように貼り合わされた積層材からなり、
前記第二の被係止部の前記爪部の長さ寸法は、前記複数の単板のうち前記爪部に最も近い位置にある単板の板厚の寸法より大きいことを特徴とするナット付き板材。
【請求項８】
物体を載置することが可能な板状の載置部材を備える家具であって、
前記載置部材は、請求項１〜請求項７のいずれかに記載のナット付き板材で構成されることを特徴とする家具。
【請求項９】
使用者が着座するための略水平な座部を有する椅子本体を備える椅子であって、
前記座部は、請求項１〜請求項７のいずれかに記載のナット付き板材で構成されることを特徴とする椅子。
【請求項１０】
使用者が着座するための略水平な座部を有する椅子本体と、
前記座部の後端に配置される背もたれと、
を備える椅子であって、
前記座部または前記背もたれの少なくともいずれか一方は、請求項１〜請求項７のいずれかに記載のナット付き板材で構成されることを特徴とする椅子。
【考案の詳細な説明】
【技術分野】
【０００１】
本考案は、ボルトと螺合可能なナットが板材に取り付けられているナット付き板材、このナット付き板材を備える家具、及びナット付き板材を備える椅子に関し、特にナットが板材から抜けることなく、外観上の美観を損なわないようにするための技術に関する。
【背景技術】
【０００２】
従来より、ナット付き板材が用いられる机や椅子などの家具が知られている。例えば、四隅の脚の上部間に幕桟を架設して形成した座卓本体の上面に天板を載置し、天板の下面側に鬼目ナットを埋設し、幕桟の下面側から幕桟に天板固定ビスを上下方向に貫通させるとともに天板固定ボルトの先端を鬼目ナットに螺合させる座卓がある（例えば特許文献１参照）。
【特許文献１】特開平７−２０８４２０号公報（第２頁）
【考案の開示】
【考案が解決しようとする課題】
【０００３】
しかし、上述のような鬼目ナットを埋設した板材で構成された天板が用いられる座卓においては、例えば座卓が移動される際に座卓の天板が持ち上げられた場合には、座卓の４本の脚及び幕桟の重量によって、天板固定ビスを介して鬼目ナットを天板から下方へ引き抜く力が働き、天板から鬼目ナットが抜けるおそれがあった。なお、天板から鬼目ナットが抜けないように、例えば軸方向の長さ寸法が従来より大きい鬼目ナットを用いて構成することが考えられるが、鬼目ナットの軸方向の長さ寸法を、天板の厚さ寸法よりも大きくした場合には、天板の上面から鬼目ナットが突き出ることになり、外観上の美観を損なうという問題がある。また、天板の上面から鬼目ナットが突き出ないようにするために、例えば厚さ寸法が従来より大きい天板を用いて構成することが考えられるが、天板の重量が従来よりも増加するという問題がある。
【０００４】
本考案は、上記問題を解決するためになされたものであり、その目的とするところは、ボルトと螺合可能なナットが板材に取り付けられているナット付き板材、このナット付き板材を備える家具、及びナット付き板材を備える椅子において、ナットが板材から抜けることなく、外観上の美観を損なわないようにすることにある。
【課題を解決するための手段】
【０００５】
上述した問題点を解決するためになされた本考案のナット付き板材（１０：なお、この欄においては、考案に対する理解を容易にするため、必要に応じて「考案を実施するための最良の形態」欄において説明した構成要素を括弧内に示すが、この記載によって実用新案登録請求の範囲を限定することを意味するものではない。）は、その一面（３ａ）から内部に向けて形成され、且つ他方の面（３ｂ）へは貫通しないよう形成された挿入穴（１３０）を有する板材（１１０，１２０）と、板材の挿入穴にその少なくとも一部が挿入されるとともに、その内周側に板材の外部から雄ネジ部材を螺合可能な雌ネジ部（１８０ｂ）が形成された筒状のナット（１８０）とを備えている。そして、ナットは、その外周側に配設される第一の被係止部（１８０ｃ）を有する。また、板材は、板材の挿入穴から雌ネジ部に螺合される雄ネジ部材の方向へナットを移動させないようナットの第一の被係止部を係止する第一の係止部（１５０）を有する。
【０００６】
このように構成されたナット付き板材によれば、次のような作用効果を奏する。すなわち、板材の第一の係止部が、ナットの第一の被係止部を係止することにより板材の挿入穴から雌ネジ部に螺合される雄ネジ部材の方向へナットを移動させない。つまり、板材の挿入穴に挿入されたナットは、板材から抜けないように構成されている。一例を挙げると、ナットが筒状の六角ナットの場合には、六角ナットの軸心に直交する六角形の断面形状に沿って形成された六角形の横断面形状を有し、且つ六角ナットの厚さ寸法より大きい深さ寸法を有する挿入穴が、板材の一面から内部に向けて形成され、且つ他方の面へは貫通しないよう形成される。そして、この板材の一面から内部に向けて形成された挿入穴に六角ナットを挿入した後に、その内径寸法が六角ナットの雌ネジ部の外径寸法より大きい貫通穴を有し、挿入穴の横断面形状に沿って形成された六角形の横断面形状を有するストッパが挿入穴に挿入され、このストッパが板材に固定されるといった具合である。このように構成すれば、板材の第一の係止部に相当するストッパが、ナットの第一の被係止部に相当する六角ナットにおける雌ネジ部の外側に位置する部分（以下、筒部とも称する。）を係止することにより板材の挿入穴に挿入された六角ナットは板材から抜けない。そして、このように構成されたナット付き板材を用いて、例えば座卓の天板を構成すると効果的である。例えば四隅の脚の上部間に幕桟を架設して形成した座卓本体の上面に上述のナット付き板材から構成される天板を載置し、幕桟の下面側から幕桟に天板固定ボルトを上下方向に貫通させるとともに天板固定ボルトの先端を上述の六角ナットに螺合させる。なお、上述の例では、六角ナットの場合を取り上げて説明したが、Ｔナットなどの他のナットでも同様である。このことにより、例えば座卓が移動される際に座卓の天板が持ち上げられた場合には、座卓の四本の脚及び幕桟の重量によって、天板固定ボルトを介してナットを天板から下方へ引き抜く力が働くが、天板を構成する板材の第一の係止部（上述の例ではストッパが相当する）が、ナットの第一の被係止部（上述の例では六角ナットの筒部が相当する）を係止するので、天板からナットが抜けることがない。したがって、従来のように天板の下面側に鬼目ナットを埋設させる場合に比べて、例えば座卓が移動される際に座卓の天板が持ち上げられた場合には、天板からナットが抜けるおそれがないので、使用者に安心感を与えられる。
【０００７】
なお、ナットの少なくとも一部が挿入され、板材の一面から内部に向けて形成された挿入穴は他方の面へは貫通されていない。つまり、挿入穴が形成された板材の一面とは反対側に位置する他方の面からナットが突き出ることはない。上述の座卓の例を用いて説明すれば、座卓本体の上面に載置される天板が上述のナット付き板材から構成される場合には、天板の上面からナットが突き出ることがないので、外観上の美観を損なわない。
【０００８】
また、請求項２に記載のように、ナットは、その外周側に配設される第二の被係止部（１８０ｄ）を有し、板材は、板材に対してナットを回転させないようナットの第二の被係止部を係止する第二の係止部（１２０）を有するとよい。
【０００９】
このように構成されたナット付き板材によれば、次のような作用効果を奏する。すなわち、板材の第二の係止部が、ナットの第二の被係止部を係止することにより板材に対してナットを回転させない。つまり、板材の挿入穴に挿入されたナットは、ナットの雌ネジ部に板材の外部から雄ネジ部材を螺合させる際に、雄ネジ部の回転に伴って連れ回らないように構成されている。一例を挙げると、ナットが筒状の六角ナットの場合には、六角ナットの軸心に直交する六角形の断面形状に沿って形成された六角形の横断面形状を有する挿入穴が板材の一面から内部に向けて形成されるといった具合である。このように構成すれば、板材の第二の係止部に相当する挿入穴が有する六角形の横断面形状を形成する内周側面部が、この挿入穴に挿入されたナットの第二の被係止部に相当する六角ナットの外周側面部を係止することにより板材の挿入穴に挿入された六角ナットは、六角ナットの雌ネジ部に板材の外部から雄ネジ部材を螺合させる際に、雄ネジ部の回転に伴って連れ回らないのである。なお、上述の例では、六角ナットの場合を取り上げて説明したが、Ｔナットなどの他のナットでも同様である。したがって、ナットの雌ネジ部に板材の外部から雄ネジ部材を螺合させる際に、ナットが雄ネジ部材の回転に伴って連れ回る場合に比べて、雄ネジ部をナットの雌ネジ部に容易に螺合させられる。
【００１０】
また、板材が複数の薄板材を重ね合わせた構成を有する場合には、挿入穴が形成された一つまたは複数の薄板材のうち少なくとも一つの薄板材が第一の係止部を有することが考えられる。具体的には、請求項３に記載のように、板材は、複数の薄板材（１１０、１２０）を重ね合わせた構成を有し、複数の薄板材のうちの少なくとも一つの薄板材には挿入穴が形成されており、挿入穴が形成された一つまたは複数の薄板材のうち少なくとも一つの薄板材（１２０）が第一の係止部を有することが考えられる。
【００１１】
このように構成されたナット付き板材によれば、次のような作用効果を奏する。すなわち、挿入穴が形成された一つまたは複数の薄板材のうち少なくとも一つの薄板材が有する第一の係止部が、ナットの第一の被係止部を係止することにより板材の挿入穴から雌ネジ部に螺合される雄ネジ部材の方向へナットを移動させない。つまり、板材の挿入穴に挿入されたナットは、挿入穴が形成された一つまたは複数の薄板材のうち少なくとも一つの薄板材から抜けないように構成されている。一例を挙げると、ナットが筒状の六角ナットの場合には、六角ナットの軸心に直交する六角形の断面形状に沿って形成された六角形の横断面形状を有し、且つ六角ナットの厚さ寸法より大きい深さ寸法を有する挿入穴が、板材の一面から内部に向けて形成され、且つ他方の面へは貫通しないよう形成される。そして、この板材の一面から内部に向けて形成された挿入穴に六角ナットを挿入した後に、その内径寸法が六角ナットの雌ネジ部の外径寸法より大きい貫通穴を有し、挿入穴の横断面形状に沿って形成された六角形の横断面形状を有するストッパが挿入穴に挿入され、このストッパが、挿入穴が形成された一つまたは複数の薄板材のうち少なくとも一つの薄板材に固定されるといった具合である。このように構成すれば、板材の第一の係止部に相当するストッパが、ナットの第一の被係止部に相当する六角ナットの筒部を係止することにより板材の挿入穴に挿入された六角ナットは板材から抜けない。なお、上述の例では、六角ナットの場合を取り上げて説明したが、Ｔナットなどの他のナットでも同様である。
【００１２】
なお、板材は、複数の薄板材を重ね合わせた構成を有している。そこで、複数の薄板材を重ね合わせる前に、挿入穴が形成される一つまたは複数の薄板材のうち少なくとも一つの薄板材に第一の係止部が形成されてもよい。一例を挙げると、ナットが筒状の六角ナットの場合には、六角ナットの軸心に直交する六角形の断面形状に沿って形成された六角形の横断面形状を有し、且つ六角ナットの厚さ寸法より大きい深さ寸法を有する挿入穴が、第一の係止部が形成される薄板材における六角ナットの雌ネジ部に螺合される雄ネジ部材に近い面とは反対側の面から内部に向けて形成され、且つ六角ナットの雌ネジ部に螺合される雄ネジ部材に近い面へは貫通しないように形成される。そして、この挿入穴の底部には、この挿入穴の軸心と略同軸心の軸心を有し、六角ナットの雌ネジ部に螺合される雄ネジ部材の外径寸法より大きい内径寸法を有する貫通穴が形成される。そして、この挿入穴に六角ナットが挿入されると、貫通穴を有する挿入穴の底部に六角ナットは係止される。この貫通穴を有する挿入穴の底部が第一の係止部を形成する。そして、六角ナットが挿入穴に挿入された後に、この挿入穴が形成された面に、挿入穴が形成されていない薄板材を重ね合わせるといった具合である。このように構成すれば、板材の第一の係止部に相当する貫通穴を有する挿入穴の底部が、ナットの第一の被係止部に相当する六角ナットの筒部を係止することにより板材の挿入穴から、雌ネジ部に螺合される雄ネジ部材の方向へ六角ナットは抜けない。なお、上述の例では、六角ナットの場合を取り上げて説明したが、Ｔナットなどの他のナットでも同様である。このことにより、板材が複数の薄板材を重ね合わせた構成を有する場合には、挿入穴が形成される一つまたは複数の薄板材のうち少なくとも一つの薄板材に第一の係止部が形成される。
【００１３】
また、板材が複数の薄板材を重ね合わせた構成を有する場合には、板材の外部に最も近い位置にある薄板材に、挿入穴が形成され、その薄板材が第一の係止部を有するとよい。具体的には、請求項４に記載のように、複数の薄板材（１１０，１２０）のうち板材の外部に最も近い位置にある薄板材（１２０）には、挿入穴が形成され、挿入穴が形成された薄板材が第一の係止部を有するとよい。
【００１４】
このように構成されたナット付き板材によれば、請求項３と同様の作用効果を奏する。ところで、複数の薄板材に挿入穴、及び第一の係止部が形成された場合には、それらの薄板材を重ね合わせた際に、薄板材それぞれに形成された挿入穴、及び第一の係止部それぞれの位置合わせ作業が発生する。それに対して、このように構成されたナット付き板材によれば、挿入穴、及び第一の係止部が形成されるのは、板材の外部に最も近い位置にある薄板材だけであり、そのような位置合わせ作業が発生しないので、作業工数を削減できる。
【００１５】
なお、上述のナットについては、請求項５に記載のように、ナットの第一の被係止部がナットの一方の端部からナットの軸心に直交する方向へ延出するフランジ部（１８０ｃ）を有し、ナットの第二の被係止部がフランジ部から板材へ向けて延出する爪部（１８０ｄ）を有するナット（１８０、以下、Ｔナットとも称する。）であることが考えられる。
【００１６】
このように構成されたナット付き板材によれば、請求項１〜請求項４、と同様の作用効果を奏する。また、請求項３または請求項４に記載のように板材が複数の薄板材を重ね合わせた構成を有し、ナットがＴナットの場合には、次のような作用効果を奏する。すなわち、Ｔナットは、Ｔナットの第二の被係止部が有する爪部を板材に差し込ませられるように構成されている。一例を挙げると、Ｔナットの一方の端部からＴナットの軸心に直交する方向へ延出するフランジ部の断面形状に沿って形成された横断面形状を有し、且つフランジ部の厚さ寸法より大きい深さ寸法を有するフランジ挿入穴が、第一の係止部が形成される薄板材におけるＴナットの雌ネジ部に螺合される雄ネジ部材に近い面とは反対側の面から内部に向けて形成され、且つＴナットの雌ネジ部に螺合される雄ネジ部材に近い面へは貫通しないように形成される。そして、このフランジ挿入穴の底部には、このフランジ挿入穴の軸心と略同軸心の軸心を有し、フランジ部、及び爪部を除いたＴナットの外径寸法より大きい内径寸法を有する貫通穴が形成される。そして、Ｔナットにおけるフランジ部が延出している一方の端部とは反対側の他端部からＴナットが前記貫通穴へ挿入されると、貫通穴を有するフランジ挿入穴の底部に爪部の先端が接触される。そして、Ｔナットの爪部をフランジ挿入穴の底部に差し込ませることにより、Ｔナットのフランジ部がフランジ挿入穴に係止され、Ｔナットは、板材に固定される。この貫通穴を有するフランジ挿入穴の底部が第一の係止部を形成する。そして、Ｔナットのフランジ部がフランジ挿入穴に挿入された後に、このフランジ挿入穴が形成された面に、挿入穴が形成されていない薄板材を重ね合わせるといった具合である。このように構成すれば、板材の第一の係止部に相当する貫通穴を有するフランジ挿入穴の底部が、ナットの第一の被係止部に相当するＴナットのフランジ部を係止することにより挿入穴から雌ネジ部に螺合される雄ネジ部材の方向へＴナットは板材から抜けない。また、Ｔナットの爪部をフランジ挿入穴の底部に差し込ませることにより、Ｔナットは、板材に固定されるので、板材から抜け落ちることがないので、ナットを抜け落ちないように板材に仮止めするような作業が発生する場合と比較して、挿入穴が形成されていない薄板材を重ね合わせるまでの板材の取り扱いが容易である。
【００１７】
また、請求項６に記載のように、第二の被係止部の前記爪部の長さ寸法は、板材における爪部が差し込まれる部分の板厚の寸法より小さいとよい。
このように構成されたナット付き板材によれば、次のような作用効果を奏する。すなわち、Ｔナットの第二の被係止部が有する爪部を板材に差し込ませた際に、爪部が差し込まれる部分の板材から爪部が突出することがない。したがって、このように構成されたナット付き板材を取り扱う際に、取扱者がＴナットの爪部によって怪我することがなく、取扱者にとって安全である。
【００１８】
また、請求項７に記載のように、板材における爪部が差し込まれる部分は、複数の単板（１２２，１２４，１２６）を互いに重ね合わせるように貼り合わされた積層材（１２０）からなり、第二の被係止部の爪部の長さ寸法は、複数の単板のうち爪部に最も近い位置にある単板の板厚の寸法より大きいとよい。
【００１９】
このように構成されたナット付き板材によれば、次のような作用効果を奏する。すなわち、Ｔナットの第二の被係止部が有する爪部を板材の積層材に差し込ませた際に、爪部が少なくとも二つの単板に差し込まれるので、次のような理由から、爪部は積層材から抜け難くなる。積層材は、例えば複数の単板を、繊維方向が互いに直交し、重ね合わせるように接着剤で貼り合わされて構成される。そして、爪部が例えば板状に形成された場合には、その板状の面が単板の繊維方向と略平行となるように爪部が単板に差し込まれると爪部は抜け易くなるが、その板状の面が単板の繊維方向と略直交するように爪部が単板に差し込まれると爪部は抜け難くなる。よって、例えば複数の単板のうち爪部に最も近い位置にある単板の繊維方向と略平行となるように爪部がその単板に差し込まれ、爪部が抜け易くなった場合であっても、次の単板の繊維方向は、爪部に最も近い位置にある単板の繊維方向と直交しているので、爪部が次の単板に差し込まれると、爪部が積層材から抜け難くなる。このことにより、Ｔナットの第二の被係止部が有する爪部を板材の積層材に差し込ませた際に、爪部が少なくとも二つの単板に差し込まれると、爪部は積層材から抜け難くなるのである。
【００２０】
なお、請求項８に記載のように、物体を載置することが可能な板状の載置部材を備える家具であって、載置部材は、請求項１〜請求項７のいずれかに記載のナット付き板材で構成されるとよい。
【００２１】
このように構成された家具によれば、次のような作用効果を奏する。すなわち、請求項１〜請求項７のいずれかに記載のナット付き板材によって、家具における物体を載置することが可能な板状の載置部材が構成される。一例を挙げると、四隅の脚の上部間に幕桟を架設して形成したテーブル本体の上面に上述のナット付き板材から構成される天板を載置し、幕桟の下面側から幕桟に天板固定ボルトを上下方向に貫通させるとともに天板固定ボルトの先端をナットに螺合させるといった具合である。このことにより、例えばテーブルが移動される際にテーブルの天板が持ち上げられた場合には、テーブルの四本の脚及び幕桟の重量によって、天板固定ボルトを介してナットを天板から下方へ引き抜く力が働くが、天板を構成する板材の第一の係止部が、ナットの第一の被係止部を係止するので、天板からナットが抜けることがない。したがって、従来のように天板の下面側に鬼目ナットを埋設させる場合に比べて、例えばテーブルが移動される際にテーブルの天板が持ち上げられた場合には、天板からナットが抜けるおそれがないので、使用者に安心感を与えられる。また、テーブルの天板の上面からナットが突き出ることがないので、外観上の美観を損なわない。
【００２２】
また、請求項９に記載のように、使用者が着座するための略水平な座部（３）を有する椅子本体（２）を備える椅子（１）であって、座部は、請求項１〜請求項７のいずれかに記載のナット付き板材で構成されるとよい。
【００２３】
このように構成された椅子によれば、次のような作用効果を奏する。すなわち、請求項１〜請求項７のいずれかに記載のナット付き板材によって、椅子における使用者が着座するための略水平な座部が構成される。一例を挙げると、四隅の脚の上部間に座支持部を架設して形成した椅子本体の上面に上述のナット付き板材から構成される座部を載置し、座支持部の内側に略水平に形成された溝にその一端が差し込まれた板材からなる座取付金具の他端側に形成された貫通穴に座取付金具の下面側から座部固定ボルトを貫通させるとともに座部固定ボルトの先端を座部のナットに螺合させるといった具合である。そして、例えば座部に使用者が着座すると、座部は、使用者の体重によって座部の略中央部が下げられるように曲がる。座部が曲がると、座部の上面側には圧縮力が働き、座部の下面側には引張力が働く。よって、従来のように座部の下面側に鬼目ナットを埋設させる場合には、上述のように座部の下面側には引張力が働くので、鬼目ナットを埋設している挿入穴と鬼目ナットとの嵌合力が低下し、鬼目ナットが緩んだり、座部から落下するおそれがあった。これに対して本発明によれば、座部を構成する板材の第一の係止部が、ナットの第一の被係止部を係止するので、座部からナットが抜けることがない。したがって、従来のように座部の下面側に鬼目ナットを埋設させる場合に比べて、例えば座部に使用者が着座した場合には、座部からナットが抜けるおそれがないので、使用者に安心感を与えられる。また、座部の上面からナットが突き出ることがないので、安全であるとともに、外観上の美観を損なわない。
【００２４】
また、請求項１０に記載のように、使用者が着座するための略水平な座部を有する椅子本体と、座部の後端に配置される背もたれ（４）とを備える椅子であって、座部または背もたれの少なくともいずれか一方は、請求項１〜請求項７のいずれかに記載のナット付き板材で構成されるとよい。
【００２５】
このように構成された椅子によれば、次のような作用効果を奏する。すなわち、請求項１〜請求項７のいずれかに記載のナット付き板材によって、椅子における使用者が着座するための略水平な座部または背もたれの少なくともいずれか一方が構成される。一例を挙げると、使用者が四隅に脚部を有する椅子に着座する際に、使用者に近い前方の二隅の前脚の上部と、前脚の高さ寸法より大きい高さ寸法を有する後方の二隅の後脚における前脚の上部とほぼ等しい高さ寸法の位置に存在する中間部との間に４辺の座支持部を架設して形成した椅子本体の上面に上述のナット付き板材から構成される座部を載置する。座支持部の内側に略水平に形成された溝にその一端が差し込まれた板材からなる座取付金具の他端側に形成された貫通穴に座取付金具の下面側から座部固定ボルトを貫通させるとともに座部固定ボルトの先端を座部のナットに螺合させる。そして、後方の二隅の後脚の上部間に背支持部を架設し、二隅の後脚の中間部から上部までの部位及び背支持部で形成した背枠体の前面に上述のナット付き板材から構成される背もたれを配置し、背支持部の内側に略垂直に形成された溝にその一端が差し込まれた板材からなる背取付金具の他端側に形成された貫通穴に背取付金具の後面側から背もたれ固定ボルトを貫通させるとともに背もたれ固定ボルトの先端を背もたれのナットに螺合させるといった具合である。
【００２６】
このことにより、例えば椅子が移動される際に椅子の背もたれが持ち上げられた場合には、椅子の四本の脚及び座支持部の重量によって、座部固定ボルトを介してナットを座部から下方へ引き抜く力が働くが、座部を構成する板材の第一の係止部が、ナットの第一の被係止部を係止するので、天板からナットが抜けることがない。したがって、従来のように座部の下面側に鬼目ナットを埋設させる場合に比べて、例えば椅子が移動される際に椅子の背もたれが持ち上げられた場合には、座部からナットが抜けるおそれがないので、使用者に安心感を与えられる。また、座部の上面からナットが突き出ることがないので、安全であるとともに、外観上の美観を損なわない。
【００２７】
また、例えば座部に使用者が着座し、使用者の背中で背もたれを押し付けると、背もたれの略中央部が後方に曲がる。背もたれが曲がると、背もたれの前面側には圧縮力が働き、背もたれの後面側には引張力が働く。よって、従来のように背もたれの後面側に鬼目ナットを埋設させる場合には、上述のように背もたれの後面側には引張力が働くので、鬼目ナットを埋設している挿入穴と鬼目ナットとの嵌合力が低下し、鬼目ナットが緩んだり、背もたれから外れるおそれがあった。これに対して本発明によれば、背もたれを構成する板材の第一の係止部が、ナットの第一の被係止部を係止するので、背もたれからナットが抜けることがない。したがって、従来のように背もたれの後面側に鬼目ナットを埋設させる場合に比べて、例えば座部に使用者が着座し、使用者の背中で背もたれを押し付ける場合には、背もたれからナットが抜けるおそれがないので、使用者に安心感を与えられる。また、背もたれの前面からナットが突き出ることがないので、安全であるとともに、外観上の美観を損なわない。
【考案を実施するための最良の形態】
【００２８】
次に、本考案が適用された実施形態について、図面を用いて説明する。
［椅子１の構成の説明］
まず、本実施形態の椅子１の構成について説明する。図１（ａ）は本実施形態の椅子１を上方からみた斜視図であり、図１（ｂ）は図１（ａ）のＡ−Ａ断面図である。なお、以降、椅子１において、背もたれ４に対して座部３が配されている側を「前側」とし、座部３に対して背もたれ４が配されている側を「後側」として説明する。また、椅子１において、二つの前脚２２及び前脚２３に対して座部３が配されている側を「上側」とし、座部３に対して二つの前脚２２及び前脚２３が配されている側を「下側」として説明する。さらに、椅子１の前側から後側を見た場合における椅子１の左側、右側をそれぞれ「左側」、「右側」として説明する。
【００２９】
椅子１は、図１（ａ）に示すように、使用者が着座するための略水平な略矩形の座部３を有する椅子本体２、及び座部３の後端に配置される背もたれ４を備えている。以下、椅子本体２、座部３、背もたれ４の順に説明する。
【００３０】
［椅子本体２の構成の説明］
椅子本体２は、座部３の四隅のうち前側の二つの隅それぞれに取り付けられた略角柱状の二つの前脚２２と前脚２３、座部３の四隅のうち後側の二つの隅それぞれに取り付けられた略角柱状の二つの後脚２４と後脚２５、左側の前脚２２と右側の前脚２３とを連結する略角柱状の前側連結部材２７ａ、左側の後脚２４と右側の後脚２５とを連結する略角柱状の後側連結部材（図示省略）、左側の前脚２２と左側の後脚２４とを連結する左側連結部材（図示省略）、及び右側の前脚２３と右側の後脚２５とを連結する右側連結部材２７ｂを備えている。なお、椅子本体２が備える各部材は、本実施形態では木製である。
【００３１】
また、図１（ｂ）に示すように、右側連結部材２７ｂの中央部における左側面からは、三つの溝２９が内部に向けて略水平に長く形成されている。なお、図１（ｂ）中では一つの溝２９だけを図示する。この溝２９は、その上下方向の幅寸法が後述する取付金具６の板厚の寸法より大きく、その前後方向の幅寸法が後述する取付金具６の差込部６ｂの幅寸法より大きく形成されている。そして、これらの三つの溝２９は、前後方向にほぼ均等の間隔で右側連結部材２７ｂに形成されている。また、左側連結部材の中央部における右側面からは、三つの溝２９が内部に向けて略水平に長く形成されている。なお、左側連結部材は、その三つの溝２９が右側連結部材２７ｂの三つの溝２９と対向するように形成されている。
【００３２】
［座部３の構成の説明］
座部３は、図１（ｂ）に示すように、裏面板１２０、六つのＴナット１８０、及び表面板１１０を備える。なお、図１（ｂ）中では一つのＴナット１８０だけを図示する。裏面板１２０には、この六つのＴナット１８０が、座部３を取付金具６を介して左側連結部材及び右側連結部材２７ｂに取り付ける際に、下方からボルト７の雄ネジ部がＴナット１８０の雌ネジ部１８０ｂに螺合される位置に配設されている。なお、この座部３については、［座部３の構成の詳細説明］欄において詳細に説明する。
【００３３】
取付金具６は、例えば金属製の板材などの剛性の高い材料からなり、図１（ｂ）に示すように、その両面が略垂直となる姿勢に配置される略矩形の本体部６ａ、本体部６ａの下端部から本体部６ａに対して略垂直に延出された略矩形の差込部６ｂ、本体部６ａの上端部から差込部６ｂが延出された方向とは反対側の方向へ本体部６ａに対して略垂直に延出された略矩形の取付部６ｃを有する。取付部６ｃの略中央部には、貫通孔６ｄが形成されている。この貫通孔６ｄは、座部３を左側連結部材、及び右側連結部材２７ｂに取り付ける際に、Ｔナット１８０の雌ネジ部１８０ｂに連通し、ボルト７の雄ネジ部が挿通するように形成されている。また、取付金具６の差込部６ｂの左右方向の長さ寸法は、上述の溝２９の左右方向の深さ寸法より小さく形成されている。
【００３４】
座部３は左側連結部材及び右側連結部材２７ｂに次のようにして取り付けられる。まず、座部３を前側連結部材２７ａ、後側連結部材、左側連結部材、及び右側連結部材２７ｂの上部に載置する。そして、取付金具６の本体部６ａの両面が略垂直となり、且つ取付金具６の取付部６ｃが差込部６ｂより上方となる姿勢で取付金具６を保持する。この際、取付金具６は、右側連結部材２７ｂの溝２９と取付金具６の差込部６ｂとが対向するような姿勢で保持される。また、取付金具６の差込部６ｂを、右側連結部材２７ｂの溝２９に挿入させ、取付金具６を、その貫通孔６ｄと座部３のＴナット１８０の雌ネジ部１８０ｂとが連通するような姿勢で保持する。そして、ボルト７の雄ネジ部を取付金具６の貫通孔６ｄに挿通させて、座部３のＴナット１８０の雌ネジ部１８０ｂに螺合させる。次に、右側連結部材２７ｂの三つの溝２９のうち、残りの二つの溝２９それぞれに取付金具６の差込部６ｂを挿入させ、ボルト７の雄ネジ部を取付金具６それぞれの貫通孔６ｄに挿通させ、座部３のＴナット１８０の雌ネジ部１８０ｂに螺合させることによって、座部３を右側連結部材２７ｂに取り付ける。そして、左側連結部材の三つの溝２９それぞれに取付金具６の差込部６ｂを挿入させ、ボルト７の雄ネジ部を取付金具６それぞれの貫通孔６ｄに挿通させ、座部３のＴナット１８０の雌ネジ部１８０ｂに螺合させることによって、座部３を左側連結部材に取り付ける。
【００３５】
［背もたれ４の構成の説明］
背もたれ４は、左側の後脚２４の上部と右側の後脚２５の上部との間に架設された背支持部５、左側の後脚２４の上半分、及び右側の後脚２５の上半分によって構成される。
【００３６】
［座部３の構成の詳細説明］
次に、椅子１の座部３の構成について詳細に説明する。図２（ａ）は裏面板１２０に形成されたフランジ挿入穴１３０の上方にＴナット１８０を配置し、その上方に表面板１１０を配置した状態を示す斜視図であり、図２（ｂ）は裏面板１２０のフランジ挿入穴１３０にＴナット１８０が挿入され、表面板１１０が重ね合わされた状態を示す要部側断面図であり、図２（ｃ）は座部３を上方から見た斜視図であり、図２（ｄ）は座部３を下方から見た斜視図である。
【００３７】
座部３は、図２（ａ）に示すように、裏面板１２０、六つのＴナット１８０、及び表面板１１０を備える。なお、図２（ａ）中では一つのＴナット１８０だけを図示する。なお、裏面板１２０、六つのＴナット１８０、及び表面板１１０からなる構成が、Ｔナット付き板材に該当する。以下、裏面板１２０、六つのＴナット１８０、表面板１１０の順に説明する。
【００３８】
裏面板１２０は、例えば木材からなり、略矩形の形状をなす。なお、裏面板１２０は、図２（ｂ）に示すように、薄く加工された三つの単板である第一の単板１２２、第二の単板１２４、及び第三の単板１２６を有する。そして、第一の単板１２２と第二の単板１２４とは、第一の単板１２２の繊維方向と第二の単板１２４の繊維方向とが互いに直交し、重ね合わせるように例えば樹脂系の接着剤を介して貼り合わされている。また、第二の単板１２４における第一の単板１２２と貼り合わされている面とは反対側の面には、第三の単板１２６が、第二の単板１２４の繊維方向と第三の単板１２６の繊維方向とが互いに直交し、重ね合わせるように例えば樹脂系の接着剤を介して貼り合わされている。
【００３９】
そして、裏面板１２０には、図２（ａ）に示すように、後述するＴナット１８０のフランジ部１８０ｃが挿入されるフランジ挿入穴１３０が六つ形成されている。また、これらのフランジ挿入穴１３０は、図２（ｂ）に示すように、裏面板１２０における後述するＴナット１８０の雌ネジ部１８０ｂに螺合されるボルト（図示省略）に近い面（以下、ボルト挿入面）１２０ａとは反対側の面（以下、Ｔナット挿入面）１２０ｂから内部に向けて形成され、且つボルト挿入面１２０ａへは貫通しないように形成されている。
【００４０】
また、これらのフランジ挿入穴１３０それぞれの底部１５０の略中央部には、後述するＴナット１８０のＴナット本体１８０ａが挿通される貫通孔１４０が形成されている。なお、これらの貫通孔１４０は、それぞれの底部１５０からボルト挿入面１２０ａへ貫通するように形成されている。
【００４１】
Ｔナット１８０は、図２（ｂ）に示すように、例えば鉄材などの金属材料からなり、Ｔナット本体１８０ａ、フランジ部１８０ｃ、及び爪部１８０ｄを有する。Ｔナット本体１８０ａは、略円筒状の形状をなし、その内周側に雌ネジ部１８０ｂが形成されている。フランジ部１８０ｃは、Ｔナット本体１８０ａの一方の端部（以下、フランジ側端部）からＴナット本体１８０ａの軸心に直交する方向へ延出し、円板状に形成されている。爪部１８０ｄは、フランジ部１８０ｃから裏面板１２０へ延出し、円環状に形成されている。
【００４２】
上述した裏板材１２０のフランジ挿入穴１３０は、図２（ｂ）に示すように、その軸心と直交する断面形状がＴナット１８０のフランジ部１８０ｃの断面形状に沿って形成され、且つその軸心方向の深さ寸法がフランジ部１８０ｃの厚さ寸法より大きく形成されている。また、上述した裏面板１２０の貫通孔１４０は、その内径寸法がＴナット本体１８０ａの外径寸法より大きく形成されている。
【００４３】
また、Ｔナット１８０は、その爪部１８０ｄの長さ寸法が、裏面板１２０における爪部１８０ｄが差し込まれる部分の板厚の寸法より小さく設定されている。つまり、Ｔナット１８０は、その爪部１８０ｄの長さ寸法が、裏板材１２０の板厚の寸法からフランジ挿入穴１３０の深さ寸法を減算した寸法より小さく設定されている。よって、Ｔナット１８０の爪部１８０ｄを裏面板１２０の底部１５０に差し込ませた際に、爪部１８０ｄが裏面板１２０のボルト挿入面１２０ａから突出することがない。
【００４４】
また、Ｔナット１８０は、その爪部１８０ｄの長さ寸法が、裏面板１２０が有する三つの薄板状の単板のうち爪部１８０ｄに最も近い位置にある単板の板厚の寸法より大きく設定されている。例えば第一の単板１２２の板厚の寸法が、フランジ挿入穴１３０の深さ寸法より大きい場合には、Ｔナット１８０は、その爪部１８０ｄの長さ寸法が、裏面板１２０が有する三つの薄板状の単板である第一の単板１２２、第二の単板１２４、及び第三の単板１２６のうち爪部１８０ｄに最も近い位置にある第一の単板１２２の板厚の寸法より大きく設定されている。よって、Ｔナット１８０の爪部１８０ｄを裏面板１２０の底部１５０に差し込ませた際に、爪部１８０ｄが第一の単板１２２、及び第二の単板１２４に差し込まれる。
【００４５】
表面板１１０は、図２（ａ）に示すように、例えば木材からなり、薄く加工された板材であり、略矩形の形状をなし、且つその左右の端部に対してその中央部が下方へ位置するように反った形状をなしている。また、表面板１１０は、その左右の長さ寸法及び前後の長さ寸法が使用者が座部３に着座した際に、使用者にとって適当となるように設定されている。なお、上述した裏面板１２０は、その外形寸法が表面板１１０の外形寸法とほぼ同じ外形寸法で、且つ表面板１１０の反りの形状に沿って左右の端部に対してその中央部が下方へ位置するように反った形状に形成されている。また、使用者が座部３に着座した際に使用者が触れる表面板１１０の表面１１０ｂは、裏面板１２０と貼り合わされる貼付面１１０ａとは反対側の面であり、平滑に加工されている。
【００４６】
次に、図２（ａ）に示すように、六つのＴナット１８０が裏面板１２０に形成されたフランジ挿入穴１３０、及び貫通孔１４０に挿入され、その裏面板１２０に表面板１１０が重ね合わされる組付方法について説明する。まず、裏面板１２０のＴナット挿入面１２０ｂが上方を向く姿勢で裏面板１２０を保持し、その裏面板１２０のＴナット挿入面１２０ｂの上方にＴナット本体１８０ａのフランジ側端部が上方を向く姿勢でＴナット１８０を保持する。この際、Ｔナット１８０は、裏面板１２０のＴナット挿入面１２０ｂ側における貫通孔１４０とＴナット本体１８０ａのフランジ側端部とは反対側の端部とが対向するような姿勢で保持される。そして、Ｔナット本体１８０ａのフランジ側端部とは反対側の端部を、裏面板１２０のＴナット挿入面１２０ｂ側における貫通孔１４０に挿入させる。さらに、貫通孔１４０を有するフランジ挿入穴１３０の底部１５０にＴナット１８０の爪部１８０ｄの先端を接触させてから、Ｔナット１８０の爪部１８０ｄをフランジ挿入穴１３０の底部１５０に差し込ませる。このことにより、Ｔナット１８０のフランジ部１８０ｃがフランジ挿入穴１３０の底部１５０に係止され、Ｔナット１８０は、裏面板１２０に固定される。次に、六つのＴナット１８０のうち、残りの五つのＴナット１８０についても上述のようにして、Ｔナット１８０の爪部１８０ｄをフランジ挿入穴１３０の底部１５０に差し込ませる。このことにより、残りの五つのＴナット１８０についても裏面板１２０に固定される。
【００４７】
そして、図２（ａ）に示すように、六つのＴナット１８０が固定された裏面板１２０のＴナット挿入面１２０ｂが上方を向く姿勢で裏面板１２０を保持し、その裏面板１２０の上方に表面板１１０の表面１１０ｂが上方を向く姿勢で表面板１１０を保持する。この際、裏面板１２０のＴナット挿入面１２０ｂまたは表面板１１０の貼付面１１０ａの少なくとも一方には、例えば樹脂系の接着剤が塗布されている。また、裏面板１２０及び表面板１１０は、裏面板１２０の反りの形状に沿って表面板１１０の反りの形状を合わせるように、且つ裏面板１２０のＴナット挿入面１２０ｂと表面板１１０の貼付面１１０ａとが対向するような姿勢で保持される。そして、裏面板１２０の四つの端面それぞれが表面板１１０の四つの端面それぞれと揃うように、裏面板１２０のＴナット挿入面１２０ｂに表面板１１０の貼付面１１０ａを貼り合わせる。
【００４８】
このように構成された座部３は、その上側の表面３ｂが表面板１１０の表面１１０ｂに相当し、図２（ｃ）に示すように、Ｔナット１８０が突出していない平滑な面をなしている。また、座部３の下側の裏面３ａが裏面板１２０のボルト挿入面１２０ａに相当する。そして、座部の裏面３ａには、図２（ｄ）に示すように、座部３を取付金具６を介して左側連結部材及び右側連結部材２７ｂに取り付ける際に、外部からボルト７の雄ネジ部がＴナット１８０の雌ネジ部１８０ｂに螺合される位置に六つの貫通孔１４０が配設されている。
【００４９】
なお、裏面板１２０、六つのＴナット１８０、及び表面板１１０が「ナット付き板材」に相当し、座部３の裏面３ａが「その一面」に相当し、座部３の表面３ｂが「他方の面」に相当し、フランジ挿入穴１３０が「挿入穴」に相当し、裏面板１２０及び表面板１１０が「板材」に相当し、Ｔナット１８０が「筒状のナット」に相当し、フランジ部１８０ｃが「第一の被係止部」に相当し、底部１５０が「第一の係止部」に相当する。また、爪部１８０ｄが「第二の被係止部」に相当し、裏面板１２０の底部１５０が「第二の係止部」に相当し、裏面板１２０及び表面板１１０が「複数の薄板材」に相当し、第一の単板１２２、第二の単板１２４、及び第三の単板１２６が「複数の単板」に相当する。
【００５０】
［効果の説明］
（１）本実施形態のナット付き板材で構成された座部３を備える椅子１によれば、次のような作用効果を奏する。すなわち、従来の鬼目ナットを埋設した板材で構成された天板が用いられる座卓においては、例えば座卓が移動される際に座卓の天板が持ち上げられた場合には、座卓の４本の脚及び幕桟の重量によって、天板固定ビスを介して鬼目ナットを天板から下方へ引き抜く力が働き、天板から鬼目ナットが抜けるおそれがあった。また、鬼目ナットの軸方向の長さ寸法を、天板の厚さ寸法よりも大きくした場合には、天板の上面から鬼目ナットが突き出ることになり、外観上の美観を損なうという問題があった。
【００５１】
それに対して、本実施形態の椅子１によれば、その座部３が裏面板１２０、六つのＴナット１８０、及び表面板１１０を備える。裏面板１２０、六つのＴナット１８０、及び表面板１１０からなる構成が、Ｔナット付き板材に該当する。そして、裏面板１２０には、そのＴナット挿入面１２０ｂから内部に向けて形成され、且つボルト挿入面１２０ａへは貫通しないようにフランジ挿入穴１３０が形成されている。また、フランジ挿入穴１３０の底部１５０の略中央部には、底部１５０からボルト挿入面１２０ａへ貫通するようにＴナット本体１８０ａが挿通される貫通孔１４０が形成されている。そして、裏面板１２０のＴナット挿入面１２０ｂ側における貫通孔１４０にＴナット本体１８０ａを挿入させ、Ｔナット１８０の爪部１８０ｄを底部１５０に差し込ませることにより、フランジ部１８０ｃがフランジ挿入穴１３０に係止され、Ｔナット１８０は、裏面板１２０に固定される。そして、裏面板１２０のＴナット挿入面１２０ｂに表面板１１０の貼付面１１０ａを、接着剤を介して重ね合わせるように貼り合わせる。また、使用者が座部３の表面３ｂに着座した際に使用者が触れる表面板１１０の表面１１０ｂは、裏面板１２０の貼付面１１０ａとは反対側の面であり、平滑に加工されている。
【００５２】
このことにより、例えば椅子１が移動される際に座部３が持ち上げられた場合には、椅子１の四本の前脚２２，前脚２３，後脚２４，及び後脚２５と、四つの前側連結部材２７ａ、後側連結部材、左側連結部材、及び右側連結部材２７ｂとの重量によって、ボルト７を介してＴナット１８０を座部３から下方へ引き抜く力が働くが、座部３のフランジ挿入穴１３０の底部１５０が、Ｔナット１８０のフランジ部１８０ｃを係止するので、裏面板１２０から、Ｔナット１８０は抜けない。また、座部３の表面３ｂは、表面板１１０の表面１１０ｂに相当し、裏面板１２０と貼り合わされる表面板１１０の貼付面１１０ａとは反対側の面であることから、座部３の表面３ｂからＴナット１８０が突き出ることがない。したがって、座部が、従来のように鬼目ナットを埋設した板材で構成された場合に比べて、例えば椅子１が移動される際に座部３が持ち上げられた場合には、座部３からＴナット１８０が抜けるおそれがないので、使用者に安心感を与えられる。また、座部３の表面３ｂからＴナット１８０が突き出ることがないので、安全であるとともに、外観上の美観を損なわない。
【００５３】
（２）また、本実施形態のナット付き板材によって構成された座部３を備える椅子１によれば、次のような作用効果を奏する。すなわち、上述したように、裏面板１２０のＴナット挿入面１２０ｂ側における貫通孔１４０にＴナット本体１８０ａを挿入させ、Ｔナット１８０の爪部１８０ｄを底部１５０に差し込ませることにより、フランジ部１８０ｃがフランジ挿入穴１３０に係止され、Ｔナット１８０は、裏面板１２０に固定される。
【００５４】
このように構成すれば、裏面板１２０の底部１５０が、Ｔナット１８０の爪部１８０ｄを係止することにより裏面板１２０に対してＴナット１８０ナットを回転させない。したがって、Ｔナット１８０の雌ネジ部１８０ｂにボルト７の雄ネジ部を螺合させる際に、Ｔナット１８０がボルト７の雄ネジ部の回転に伴って連れ回る場合に比べて、Ｔナット１８０が連れ回らないので、ボルト７の雄ネジ部をＴナット１８０の雌ネジ部１８０ｂに容易に螺合させることができる。
【００５５】
また、Ｔナット１８０の爪部１８０ｄを裏面板１２０の底部１５０に差し込ませることにより、Ｔナット１８０は、裏面板１２０に固定されるので、裏面板１２０からＴナット１８０が抜け落ちることがない。したがって、ナットを抜け落ちないように裏板材１２０に仮止めするような作業が発生する場合と比較して、Ｔナット１８０が抜け落ちないのでので、表面板１１０を重ね合わせるまでの裏板材１２０の取り扱いが容易である。
【００５６】
（３）さらに、本実施形態のナット付き板材によって構成された座部３を備える椅子１によれば、次のような作用効果を奏する。すなわち、上述したように、裏面板１２０には、裏面板１２０のＴナット挿入面１２０ｂから内部に向けて形成され、且つボルト挿入面１２０ａへは貫通しないようにフランジ挿入穴１３０が形成されている。例えば、複数の板材にフランジ挿入穴１３０が形成された場合には、それらの板材に形成されたフランジ挿入穴１３０の位置合わせ作業が発生するが、それに対して、本実施形態の椅子１によれば、フランジ挿入穴１３０が形成されるのは、裏板材１２０だけであり、そのような位置合わせ作業が発生しないので、作業工数を削減できる。
【００５７】
（４）また、本実施形態のナット付き板材によって構成された座部３を備える椅子１によれば、次のような作用効果を奏する。すなわち、Ｔナット１８０は、その爪部１８０ｄの長さ寸法が、裏面板１２０における爪部１８０ｄが差し込まれる部分の板厚の寸法より小さく設定されている。よって、Ｔナット１８０の爪部１８０ｄを裏面板１２０の底部１５０に差し込ませた際に、爪部１８０ｄが差し込まれる部分の裏面板１２０のボルト挿入面１２０ａから爪部１８０ｄが突出することがない。したがって、本実施形態のナット付き板材を取り扱う際に、取扱者がＴナット１８０の爪部１８０ｄによって怪我することがなく、取扱者にとって安全である。
【００５８】
（５）また、本実施形態のナット付き板材によって構成された座部３を備える椅子１によれば、次のような作用効果を奏する。すなわち、例えば第一の単板１２２の板厚の寸法が、フランジ挿入穴１３０の深さ寸法より大きい場合には、Ｔナット１８０の爪部１８０ｄを裏面板１２０の底部１５０に差し込ませた際に、爪部１８０ｄが第一の単板１２２、及び第二の単板１２４に差し込まれる。そして、第一の単板１２２と第二の単板１２４とは、第一の単板１２２の繊維方向と第二の単板１２４の繊維方向とが互いに直交し、重ね合わせるように例えば樹脂系の接着剤を介して貼り合わされている。
【００５９】
このように構成すれば、爪部１８０ｄが例えば板状に形成された場合には、例えば第一の単板１２２の繊維方向と略平行となるように爪部１８０ｄが第一の単板１２２に差し込まれ、爪部１８０ｄが抜け易くなった場合であっても、次の第二の単板１２４の繊維方向は、第一の単板１２２の繊維方向と直交しているので、爪部１８０ｄが第二の単板１２４に差し込まれると、爪部１８０ｄが裏板材１２０から抜け難くなる。したがって、Ｔナット１８０の爪部１８０ｄを裏板材１２０に差し込ませた際に、爪部１８０ｄが少なくとも二つの単板である第一の単板１２２と第二の単板１２４に差し込まれるので、爪部１８０ｄは裏板材１２０から抜け難くなる。
【００６０】
［他の実施形態］
以上、本発明の実施形態について説明したが、本発明は上記実施形態に限定されるものではなく、以下のような様々な態様にて実施することが可能である。
【００６１】
（１）上記実施形態の椅子１において、座部３がＴナット１８０を備えるが、これには限らない。座部が備えるナットは、六角ナットでもよいし、他のナットでもよい。このように構成された実施形態においても、上記実施形態と同様の作用効果を奏する。
【００６２】
（２）上記実施形態の椅子１において、背もたれ４がナット付き板材によって構成されてもよい。例えば、上記実施形態の背もたれ４を構成する背支持部５、左側の後脚２４の上半分、及び右側の後脚２４の上半分を、背枠体（図示省略）とする。そして、この背枠体の前面に上記実施形態のナット付き板材から構成される背部（図示省略）を配置し、背枠体の内側に略垂直に形成された溝にその一端が差し込まれた板材からなる背部取付金具（図示省略）の他端側に形成された貫通穴に背部取付金具の後面側から背もたれ固定ボルト（図示省略）を貫通させるとともに背もたれ固定ボルトの先端を背部のナットに螺合させる。
【００６３】
このように構成された実施形態によれば、例えば座部（図示省略）に使用者が着座し、使用者の背中で背部を押し付けると、背部の略中央部が後方に曲がる。背部が曲がると、背部の前面側には圧縮力が働き、背部の後面側には引張力が働く。よって、背部が、従来のように鬼目ナットを埋設した板材で構成された場合には、上述のように背部の後面側には引張力が働くので、鬼目ナットを埋設している挿入穴と鬼目ナットとの嵌合力が低下し、鬼目ナットが緩んだり、背部から外れるおそれがあった。これに対して本実施形態によれば、背部を構成する板材のフランジ挿入穴の底部（図示省略）が、Ｔナットのフランジ部（図示省略）を係止するので、背部からＴナットが抜けることがない。したがって、背部が、従来のように鬼目ナットを埋設した板材で構成された場合に比べて、例えば座部に使用者が着座し、使用者の背中で背部を押し付ける場合には、背部からＴナットが抜けるおそれがないので、使用者に安心感を与えられる。また、背部の前面からＴナットが突き出ることがないので、安全であるとともに、外観上の美観を損なわない。
【００６４】
（３）上記実施形態においては、本考案が椅子１の座部３に適用されたが、本考案が椅子以外の家具に適用されてもよい。具体的には、次のように、テーブルの天板が本考案によるナット付き板材によって構成されてもよい。例えば、四隅の脚の上部間に幕桟を架設して形成したテーブル本体（図示省略）の上面に上述のナット付き板材から構成される天板（図示省略）を載置し、幕桟の下面側から幕桟に天板固定ボルト（図示省略）を上下方向に貫通させるとともに天板固定ボルトの先端をナットに螺合させる。
【００６５】
このように構成された実施形態によれば、例えばテーブルが移動される際にテーブルの天板が持ち上げられた場合には、テーブルの四本の脚及び幕桟の重量によって、天板固定ボルトを介してナットを天板から下方へ引き抜く力が働くが、天板を構成する板材のフランジ挿入穴の底部（図示省略）が、Ｔナットのフランジ部（図示省略）を係止するので、天板からＴナットが抜けることがない。したがって、天板が、従来のように鬼目ナットを埋設した板材で構成された場合に比べて、例えばテーブルが移動される際にテーブルの天板が持ち上げられた場合には、天板からＴナットが抜けるおそれがないので、使用者に安心感を与えられる。また、テーブルの天板の上面からＴナットが突き出ることがないので、外観上の美観を損なわない。
【００６６】
（４）上記実施形態の椅子１において、座部３を構成する裏面板１２０、及び表面板１１０が木製であったが、これには限らない。例えばアルミニウム材などの金属材料であってもよいし、樹脂材料であってもよい。このように構成された実施形態においても、上記実施形態と同様の作用効果を奏する。
【図面の簡単な説明】
【００６７】
【図１】（ａ）は椅子１を上方からみた斜視図であり、図１（ｂ）は図１（ａ）のＡ−Ａ断面図である。
【図２】（ａ）は裏面板１２０に形成されたフランジ挿入穴１３０の上方にＴナット１８０を配置し、その上方に表面板１１０を配置した状態を示す斜視図であり、（ｂ）は裏面板１２０のフランジ挿入穴１３０にＴナット１８０が挿入され、表面板１１０が重ね合わされた状態を示す要部側断面図であり、（ｃ）は座部３を上方から見た斜視図であり、（ｄ）は座部３を下方から見た斜視図である。
【符号の説明】
【００６８】
１…椅子、２…椅子本体、３…座部、３ａ…裏面、３ｂ…表面、４…背もたれ、５…背支持部、６…取付金具、６ａ…本体部、６ｂ…差込部、６ｃ…取付部、６ｄ…貫通孔、７…ボルト、２２，２３…前脚、２４，２５…後脚、２７ａ…前側連結部材、２７ｂ…右側連結部材、２９…溝、１１０…表面板、１１０ａ…貼付板、１１０ｂ…表面、１２０…裏面板、１２０ａ…ボルト挿入面、１２０ｂ…Ｔナット挿入面、１２２…第一の単板、１２４…第二の単板、１２６…第三の単板、１３０…フランジ挿入穴、１３０ａ…フランジ挿入穴、１４０…貫通孔、１５０…底部、１８０…Ｔナット、１８０ａ…Ｔナット本体、１８０ｂ…雌ネジ部、１８０ｃ…フランジ部、１８０ｄ…爪部。
【図１】
0003128194.tif 000003
【図２】
0003128194.tif 000004